【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
基地局装置と移動局装置とが無線通信を行なう無線通信システムであって、
前記基地局装置は、
チャネル測定用の第１の参照信号の送信を指示する情報を物理下りリンク制御チャネルで前記移動局装置に送信し、
チャネル測定用の第２の参照信号の送信を指示する情報を含む無線リソース制御信号を前記移動局装置に送信し、
前記移動局装置は、
前記物理下りリンク制御チャネルに含まれる前記第１の参照信号の送信を指示する情報に従って、前記第１の参照信号を前記基地局装置に送信し、
前記無線リソース制御信号に含まれる前記第２の参照信号の送信を指示する情報に従って、前記第２の参照信号を前記基地局装置に送信し、
前記第１の参照信号の送信と前記第２の参照信号の送信とが同じタイミングで生じた場合、前記第１の参照信号の送信を行なう一方、前記第１の参照信号の送信と前記第２の参照信号の送信とが同じタイミングで異なるコンポーネントキャリアに生じた場合、前記第１の参照信号の送信と前記第２の参照信号の送信とを同時に行なうことを特徴とする無線通信システム。
【請求項２】
基地局装置と移動局装置とが無線通信を行なう無線通信システムであって、
前記基地局装置は、
物理上りリンク制御チャネルでの送信を指示する情報を含む無線リソース制御信号を前記移動局装置に送信し、
チャネル測定用の第１の参照信号の送信を指示する情報を物理下りリンク制御チャネルで前記移動局装置に送信し、
前記移動局装置は、
前記無線リソース制御信号に含まれる前記物理上りリンク制御チャネルでの送信を指示する情報に従って、前記物理上りリンク制御チャネルを使用して上りリンク制御情報を前記基地局装置に送信し、
前記物理下りリンク制御チャネルに含まれる前記第１の参照信号の送信を指示する情報に従って、前記第１の参照信号を前記基地局装置に送信し、
前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうことを特徴とする無線通信システム。
【請求項３】
前記移動局装置は、
前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルで前記上りリンク制御情報の送信とを同時に行なうことを特徴とする請求項２記載の無線通信システム。
【請求項４】
前記移動局装置は、
前記第１の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、
前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうことを特徴とする請求項２または請求項３記載の無線通信システム。
【請求項５】
基地局装置と移動局装置とが無線通信を行なう無線通信システムであって、
前記基地局装置は、
チャネル測定用の第１の参照信号の送信を指示する情報を物理下りリンク制御チャネルで前記移動局装置に送信し、
チャネル測定用の第２の参照信号の送信を指示する情報を含む無線リソース制御信号を前記移動局装置に送信し、
物理上りリンク制御チャネルでの送信を指示する情報を含む無線リソース制御信号を前記移動局装置に送信し、
前記移動局装置は、
前記物理下りリンク制御チャネルに含まれる前記第１の参照信号の送信を指示する情報に従って、前記第１の参照信号を前記基地局装置に送信し、
前記無線リソース制御信号に含まれる前記第２の参照信号の送信を指示する情報に従って、前記第２の参照信号を前記基地局装置に送信し、
前記無線リソース制御信号に含まれる前記物理上りリンク制御チャネルでの送信を指示する情報に従って、前記物理上りリンク制御チャネルを使用して上りリンク制御情報を前記基地局装置に送信し、
前記第１の参照信号の送信と前記第２の参照信号の送信と前記物理上りリンク制御チャネルでの送信とが同じタイミングで生じた場合、前記物理上りリンク制御チャネルでの前記上りリンク制御情報の送信を行なうことを特徴とする無線通信システム。
【請求項６】
前記移動局装置は、
前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうことを特徴とする請求項５記載の無線通信システム。
【請求項７】
前記移動局装置は、
前記第１の参照信号の送信と前記第２の参照信号の送信と前記物理上りリンク制御チャネルでの送信とが同じタイミングで同じコンポーネントキャリアに生じた場合、前記物理上りリンク制御チャネルでの前記上りリンク制御情報の送信を行なう一方、
前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの送信とを同時に行なうことを特徴とする請求項５または請求項６記載の無線通信システム。
【請求項８】
基地局装置と移動局装置とが無線通信を行なう無線通信システムであって、
前記基地局装置は、
チャネル測定用の第１の参照信号の送信を指示する情報を物理下りリンク制御チャネルで前記移動局装置に送信し、
チャネル測定用の第２の参照信号の送信を指示する情報を含む無線リソース制御信号を前記移動局装置に送信し、
物理上りリンク制御チャネルでの送信を指示する情報を含む無線リソース制御信号を前記移動局装置に送信し、
複数のチャネルによる同時送信を許可する情報を含む信号を前記移動局装置に送信し、
前記移動局装置は、
前記物理下りリンク制御チャネルに含まれる前記第１の参照信号の送信を指示する情報に従って、前記第１の参照信号を前記基地局装置に送信し、
前記無線リソース制御信号に含まれる前記第２の参照信号の送信を指示する情報に従って、前記第２の参照信号を前記基地局装置に送信し、
前記無線リソース制御信号に含まれる前記物理上りリンク制御チャネルでの送信を指示する情報に従って、前記物理上りリンク制御チャネルを使用して上りリンク制御情報を前記基地局装置に送信し、
前記同時送信を許可する情報に従って、前記第１の参照信号の送信と前記第２の参照信号の送信と前記物理上りリンク制御チャネルでの前記上りリンク制御情報の送信とが同じタイミングで生じ、前記第１の参照信号と前記第２の参照信号が同じ無線リソースを使用して配置された場合、前記第１の参照信号と前記物理上りリンク制御チャネルでの前記上りリンク制御情報の送信を行なうことを特徴とする無線通信システム。
【請求項９】
基地局装置と無線通信を行なう移動局装置であって、
前記基地局装置から受信した物理下りリンク制御チャネルに含まれるチャネル測定用の第１の参照信号の送信を指示する情報に従って、前記第１の参照信号を前記基地局装置に送信し、
前記基地局装置から受信した無線リソース制御信号に含まれるチャネル測定用の第２の参照信号の送信を指示する情報に従って、前記第２の参照信号を前記基地局装置に送信し、
前記第１の参照信号の送信と前記第２の参照信号の送信とが同じタイミングで生じた場合、前記第１の参照信号の送信を行なう一方、
前記第１の参照信号の送信と前記第２の参照信号の送信とが同じタイミングで異なるコンポーネントキャリアに生じた場合、前記第１の参照信号の送信と前記第２の参照信号の送信とを同時に行なうことを特徴とする移動局装置。
【請求項１０】
基地局装置と無線通信を行なう移動局装置であって、
前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、
前記基地局装置から受信した物理下りリンク制御チャネルに含まれるチャネル測定用の第１の参照信号の送信を指示する情報に従って、前記第１の参照信号を前記基地局装置に送信し、
前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうことを特徴とする移動局装置。
【請求項１１】
前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうことを特徴とする請求項１０記載の移動局装置。
【請求項１２】
前記第１の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、
前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうことを特徴とする請求項１０または請求項１１記載の移動局装置。
【請求項１３】
基地局装置と無線通信を行なう移動局装置であって、
前記基地局装置から受信した物理下りリンク制御チャネルに含まれるチャネル測定用の第１の参照信号の送信を指示する情報に従って、前記第１の参照信号を前記基地局装置に送信し、
前記基地局装置から受信した無線リソース制御信号に含まれるチャネル測定用の第２の参照信号の送信を指示する情報に従って、前記第２の参照信号を前記基地局装置に送信し、
前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、
前記第１の参照信号の送信と前記第２の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうことを特徴とする移動局装置。
【請求項１４】
前記第１の参照信号の送信と前記第２の参照信号の送信と前記物理上りリンク制御チャネルでの前記上りリンク制御情報の送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうことを特徴とする請求項１３記載の移動局装置。
【請求項１５】
前記第１の参照信号の送信と前記第２の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、
前記第１の参照信号の送信と前記第２の参照信号の送信と前記物理上りリンク制御チャネルでの前記上りリンク制御情報の送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうことを特徴とする請求項１３または請求項１４記載の移動局装置。
【請求項１６】
基地局装置と無線通信を行なう移動局装置であって、
前記基地局装置から受信した物理下りリンク制御チャネルに含まれるチャネル測定用の第１の参照信号の送信を指示する情報に従って、前記第１の参照信号を前記基地局装置に送信し、
前記基地局装置から受信した無線リソース制御信号に含まれるチャネル測定用の第２の参照信号の送信を指示する情報に従って、前記第２の参照信号を前記基地局装置に送信し、
前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信し、
前記基地局装置から受信した複数のチャネルによる同時送信を許可する情報に従って、前記第１の参照信号の送信と前記第２の参照信号の送信とが同じタイミングで生じ、前記第１の参照信号と前記第２の参照信号とが同じ無線リソースを使用して配置されている場合、前記第１の参照信号の送信と前記物理上りリンク制御チャネルでの前記上りリンク制御情報の送信を同時に行なうことを特徴とする移動局装置。
【請求項１７】
基地局装置と移動局装置とが無線通信を行なう無線通信方法であって、
前記基地局装置において、
チャネル測定用の第１の参照信号の送信を指示する情報を物理下りリンク制御チャネルで前記移動局装置に送信するステップと、
チャネル測定用の第２の参照信号の送信を指示する情報を含む無線リソース制御信号を前記移動局装置に送信するステップと、
前記移動局装置において、
前記物理下りリンク制御チャネルに含まれる前記第１の参照信号の送信を指示する情報に従って、前記第１の参照信号を前記基地局装置に送信するステップと、
前記無線リソース制御信号に含まれる前記第２の参照信号の送信を指示する情報に従って、前記第２の参照信号を前記基地局装置に送信するステップと、
前記第１の参照信号の送信と前記第２の参照信号の送信とが同じタイミングで生じた場合、前記第１の参照信号の送信を行なうステップと、
前記第１の参照信号の送信と前記第２の参照信号の送信とが同じタイミングで異なるコンポーネントキャリアに生じた場合、前記第１の参照信号の送信と前記第２の参照信号の送信とを同時に行なうステップと、を少なくとも含むことを特徴とする無線通信方法。
【請求項１８】
基地局装置と移動局装置とが無線通信を行なう無線通信方法であって、
前記基地局装置において、
物理上りリンク制御チャネルでの送信を指示する情報を含む無線リソース制御信号を前記移動局装置に送信するステップと、
チャネル測定用の第１の参照信号の送信を指示する情報を物理下りリンク制御チャネルで前記移動局装置に送信するステップと、
前記移動局装置において、
前記無線リソース制御信号に含まれる前記物理上りリンク制御チャネルでの送信を指示する情報に従って、前記物理上りリンク制御チャネルを使用して上りリンク制御情報を前記基地局装置に送信するステップと、
前記物理下りリンク制御チャネルに含まれる前記第１の参照信号の送信を指示する情報に従って、前記第１の参照信号を前記基地局装置に送信するステップと、
前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なうステップと、を少なくとも含むことを特徴とする無線通信方法。
【請求項１９】
前記移動局装置において、
前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルで前記上りリンク制御情報の送信とを同時に行なうステップを含むことを特徴とする請求項１８記載の無線通信方法。
【請求項２０】
前記移動局装置において、
前記第１の参照信号の送信と前記物理上りリンク制御チャネルでの前記上りリンク制御情報の送信とが同じタイミングで同じコンポーネントキャリアに生じた場合、前記物理上りリンク制御チャネルでの前記上りリンク制御情報の送信を行なう一方、
前記第１の参照信号の送信と前記物理上りリンク制御チャネルでの前記上りリンク制御情報の送信とが同じタイミングで異なるコンポーネントキャリアに生じた場合、前記第１の参照信号の送信と前記物理上りリンク制御チャネルでの前記上りリンク制御情報の送信とを同時に行なうステップを含むことを特徴とする請求項１８または請求項１９記載の無線通信方法。
【請求項２１】
基地局装置と移動局装置とが無線通信を行なう無線通信方法であって、
前記基地局装置において、
チャネル測定用の第１の参照信号の送信を指示する情報を物理下りリンク制御チャネルで前記移動局装置に送信するステップと、
チャネル測定用の第２の参照信号の送信を指示する情報を含む無線リソース制御信号を前記移動局装置に送信するステップと、
物理上りリンク制御チャネルでの送信を指示する情報を含む無線リソース制御信号を前記移動局装置に送信するステップと、
前記移動局装置において、
前記物理下りリンク制御チャネルに含まれる前記第１の参照信号の送信を指示する情報に従って、前記第１の参照信号を前記基地局装置に送信するステップと、
前記無線リソース制御信号に含まれる前記第２の参照信号の送信を指示する情報に従って、前記第２の参照信号を前記基地局装置に送信するステップと、
前記無線リソース制御信号に含まれる前記物理上りリンク制御チャネルでの送信を指示する情報に従って、前記物理上りリンク制御チャネルを使用して上りリンク制御情報を前記基地局装置に送信するステップと、
前記第１の参照信号の送信と前記第２の参照信号の送信と前記物理上りリンク制御チャネルでの送信とが同じタイミングで生じた場合、前記物理上りリンク制御チャネルでの前記上りリンク制御情報の送信を行なうステップと、を少なくとも含むことを特徴とする無線通信方法。
【請求項２２】
前記移動局装置において、
前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの前記上りリンク制御情報の送信とを同時に行なうステップを含むことを特徴とする請求項２１記載の無線通信方法。
【請求項２３】
前記移動局装置において、
前記第１の参照信号の送信と前記第２の参照信号の送信と前記物理上りリンク制御チャネルでの送信とが同じタイミングで同じコンポーネントキャリアに生じた場合、前記物理上りリンク制御チャネルでの前記上りリンク制御情報の送信を行なう一方、
前記第１の参照信号の送信と前記第２の参照信号の送信と前記物理上りリンク制御チャネルでの送信とが同じタイミングで異なるコンポーネントキャリアに生じた場合、前記第１の参照信号の送信と前記第２の参照信号の送信と前記物理上りリンク制御チャネルでの送信とを同時に行なうステップを含むことを特徴とする請求項２１または請求項２２記載の無線通信方法。
【請求項２４】
基地局装置と移動局装置とが無線通信を行なう無線通信方法であって、
前記基地局装置において、
チャネル測定用の第１の参照信号の送信を指示する情報を物理下りリンク制御チャネルで前記移動局装置に送信するステップと、
チャネル測定用の第２の参照信号の送信を指示する情報を含む無線リソース制御信号を前記移動局装置に送信するステップと、
物理上りリンク制御チャネルでの送信を指示する情報を含む無線リソース制御信号を前記移動局装置に送信するステップと、
複数のチャネルによる同時送信を許可する情報を含む信号を前記移動局装置に送信するステップと、
前記移動局装置において、
前記物理下りリンク制御チャネルに含まれる前記第１の参照信号の送信を指示する情報に従って、前記第１の参照信号を前記基地局装置に送信するステップと、
前記無線リソース制御信号に含まれる前記第２の参照信号の送信を指示する情報に従って、前記第２の参照信号を前記基地局装置に送信するステップと、
前記無線リソース制御信号に含まれる前記物理上りリンク制御チャネルでの送信を指示する情報に従って、前記物理上りリンク制御チャネルを使用して上りリンク制御情報を前記基地局装置に送信するステップと、
前記同時送信を許可する情報に従って、前記第１の参照信号の送信と前記第２の参照信号の送信と前記物理上りリンク制御チャネルでの前記上りリンク制御情報の送信とが同じタイミングで生じ、前記第１の参照信号と前記第２の参照信号が同じ無線リソースを使用して配置された場合、前記第１の参照信号と前記物理上りリンク制御チャネルでの前記上りリンク制御情報の送信を行なうステップと、を少なくとも含むことを特徴とする無線通信方法。
【請求項２５】
移動局装置に実装されることにより、前記移動局装置に複数の機能を発揮させる集積回路であって、
前記基地局装置から受信した物理下りリンク制御チャネルに含まれるチャネル測定用の第１の参照信号の送信を指示する情報に従って、前記第１の参照信号を前記基地局装置に送信する機能と、
前記基地局装置から受信した無線リソース制御信号に含まれるチャネル測定用の前記第２の参照信号の送信を指示する情報に従って、前記第２の参照信号を前記基地局装置に送信する機能と、
前記第１の参照信号の送信と前記第２の参照信号の送信とが同じタイミングで生じた場合、前記第１の参照信号の送信を行なう一方、
前記第１の参照信号の送信と前記第２の参照信号の送信とが同じタイミングで異なるコンポーネントキャリアに生じた場合、前記第１の参照信号の送信と前記第２の参照信号の送信とを同時に行なう機能と、を前記移動局装置に発揮させることを特徴とする集積回路。
【請求項２６】
移動局装置に実装されることにより、前記移動局装置に複数の機能を発揮させる集積回路であって、
前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信する機能と、
前記基地局装置から受信した物理下りリンク制御チャネルに含まれるチャネル測定用の第１の参照信号の送信を指示する情報に従って、前記第１の参照信号を前記基地局装置に送信する機能と、
前記第１の参照信号の送信と前記物理上りリンク制御チャネルでの前記上りリンク制御情報の送信とが同じタイミングで生じた場合、前記物理上りリンク制御チャネルでの前記上りリンク制御情報の送信を行なう機能と、を前記移動局装置に発揮させることを特徴とする集積回路。
【請求項２７】
移動局装置に実装されることにより、前記移動局装置に複数の機能を発揮させる集積回路であって、
前記基地局装置から受信した物理下りリンク制御チャネルに含まれるチャネル測定用の第１の参照信号の送信を指示する情報に従って、前記第１の参照信号を前記基地局装置に送信する機能と、
前記基地局装置から受信した無線リソース制御信号に含まれるチャネル測定用の第２の参照信号の送信を指示する情報に従って、前記第２の参照信号を前記基地局装置に送信する機能と、
前記基地局装置から受信した無線リソース制御信号に含まれる物理上りリンク制御チャネルでの送信を指示する情報に従って、前記物理上りリンク制御チャネルを使用して上りリンク制御情報を前記基地局装置に送信する機能と、
前記第１の参照信号の送信と前記第２の参照信号の送信と前記物理上りリンク制御チャネルでの前記上りリンク制御情報の送信とが同じタイミングで生じた場合、前記物理上りリンク制御チャネルでの前記上りリンク制御情報の送信を行なう機能と、を前記移動局装置に発揮させることを特徴とする集積回路。